(57)【特許請求の範囲】
【請求項１】
表示画像に関する調整を行うための選択画面が表示される表示手段、及び上記選択画面として表示される複数の項目の一つを選択するとともに選択された項目において調整や設定を行うための操作手段、を有し、
上記選択画面として、
上記操作手段の操作によって表示される第１の選択画面であって、複数の調整項目およびその他の調整項目を選択するための項目を有する第１の選択画面と、
上記第１の選択画面の中のその他の調整項目を選択することにより呼び出される第２の選択画面であって、上記操作手段が操作されても上記複数の調整項目における調整を変更できなくするロック設定または該ロック設定の解除を上記複数の調整項目において個別に設定するための第２の選択画面と
を有することを特徴とする画像表示装置。
【請求項２】
請求項１記載の画像表示装置において、
上記第１の選択画面には、上記第１の選択画面から脱出するための項目を有し、
上記第２の選択画面にて上記複数の調整項目に対する上記ロック設定を設定すると、上記第１の選択画面にてその他の上記調整項目を選択するための項目と上記脱出するための項目のみが選択可能とされる
ことを特徴とする画像表示装置。
【請求項３】
請求項１記載の画像表示装置において、
上記第１の選択画面にて上記ロック設定の設定された調整項目が選択されたときは、上記キー操作がロック中であることを示す図形を表示する
ことを特徴とする画像表示装置。
【発明の詳細な説明】
【０００１】
【発明の属する技術分野】
本発明は、例えばコンピュータディスプレイ装置に使用して好適な画像表示装置に関するものである。
【０００２】
【従来の技術】
例えばコンピュータディスプレイ装置においては、通常のテレビジョン受像機と異なり、表示画面の歪みや色むら等を正確に調整するための多数の調整項目が使用者に開放されている。ところがこのようなディスプレイ装置を、例えば店頭に置いて任意のコンピュータ等からの画像を表示している場合に、例えば第三者が上述の調整項目等を変更すると、使用者が意図した通りの画像の表示を行うことができなくなってしまう恐れがある。
【０００３】
そこで従来から、使用者が所定の操作を行うことによって、第三者がキー操作を行っても上述の調整項目等の変更をできなくする、いわゆるキーロック手段が検討されている。ところがこのようなキーロックを行う場合に、その設定の操作や解除の操作が複雑であると、使用者がその手順を失念して、実際にキーロックを設定したり解除したりすることができなくなってしまう恐れがある。また、手順を簡単にすると第三者が調整項目等を変更してしまう恐れが生じてしまう。
【０００４】
【発明が解決しようとする課題】
この出願はこのような点に鑑みて成されたものであって、解決しようとする問題点は、従来の装置ではキーロックを行うための適当な手段がなかったというものである。
【０００５】
【課題を解決するための手段】
このため本発明においては、キー操作によって呼び出される選択画面を用いてキー操作の一部をロックする機能を設定／解除するようにしたものであって、これによれば、使用者は容易に機能の設定／解除を行うことができると共に、第三者によって機能が解除される恐れを少なくすることができる。
【０００６】
【発明の実施の形態】
すなわち本発明においては、表示画像に関する調整を行うための選択画面が表示される表示手段、及び選択画面として表示される複数の項目の一つを選択するとともに選択された項目において調整や設定を行うための操作手段を有し、選択画面として、操作手段の操作によって表示される第１の選択画面であって、複数の調整項目およびその他の調整項目を選択するための項目を有する第１の選択画面と、第１の選択画面の中のその他の調整項目を選択することにより呼び出される第２の選択画面であって、操作手段が操作されても複数の調整項目における調整を変更できなくするロック設定またはこのロック設定の解除を複数の調整項目において個別に設定するための第２の選択画面とを有するものである。
【０００７】
【実施例】
以下、図面を参照して本発明を説明するに、図１は本発明によるキー入力装置によって表示される表示画面の一例の構成を示す線図である。
【０００８】
すなわちこの図１において、例えばコンピュータディスプレイ装置に設けられる図２に示すような操作手段の中のＯＳＤ（On Screen Display ）の操作キー１が操作されることによって、ディスプレイ装置の画面上には、例えば図１のＡに示すような第１の選択画面が表示される。
【０００９】
ここでこの第１の選択画面には、色合いの調整を選択する（ＣＯＬＯＲ）、画面の中心位置の調整を選択する（ＣＥＮＴＥＲ）、コンバージェンスの調整を選択する（ＳＣＲＥＥＮ）、画面の歪みの調整を選択する（ＧＥＯＭ）、この選択画面からの脱出を選択する（ＥＸＩＴ）、アスペクト比を固定にして画面の拡大縮小の調整を選択する（ＺＯＯＭ）、音声の調整を選択する（ＳＯＵＮＤ）、水平及び垂直のサイズの調整を選択する（ＳＩＺＥ）、そしてその他の調整を選択する（ＯＰＴＩＯＮ）等の調整項目が設けられる。
【００１０】
そこでこの第１の選択画面において、これらの調整項目が例えば図２に示す操作手段の中の「↑」「↓」「←」「→」の操作キー２〜５の操作によって選択され、さらにＯＳＤの操作キー１が操作されることによって、任意の調整項目が選択されてそれぞれ所望の調整が行われるものである。そして上述の第１の選択画面において、調整項目の内のその他の調整を選択する（ＯＰＴＩＯＮ）の調整項目が選択されてＯＳＤの操作キー１が操作されると、ディスプレイ装置の画面上に、例えば図１のＢに示すような第２の選択画面が表示される。
【００１１】
ここでこの第２の選択画面の中には、例えば図示のようなキー（鍵）の図形１ａと共に、〔ＬＯＣＫ／ＵＮＬＯＣＫ〕の文字が表示される。さらにこの第２の選択画面において、例えば図２に示す操作手段の中から「↑」「↓」の操作キー２、３の操作によってキーの図形１ａが選択され、「←」「→」の操作キー４、５の操作によって〔ＬＯＣＫ／ＵＮＬＯＣＫ〕の文字が選択される。そしてＯＳＤの操作キー１が操作されることによって、これらのキー操作によって行われた設定が実行される。
【００１２】
すなわちこの装置において、ＯＳＤの操作キー１の操作によって表示画面の調整を行う第１の選択画面が呼び出され、この第１の選択画面の中で、例えばその他の調整項目（ＯＰＴＩＯＮ）を選択することにより、第２の選択画面が呼び出される。さらにこの第２の選択画面の中で、例えばキー（鍵）の図形１ａと共にある〔ＬＯＣＫ／ＵＮＬＯＣＫ〕の文字を選択することによって、装置のキーロックの設定及びその解除を行うことができる。
【００１３】
そしてこの場合に、表示画面の調整を行う第１の選択画面から第２の選択画面が呼び出して装置のキーロック及び解除の操作を行うので、容易にキーロック等の操作を行うことができると共に、第三者には、第１の選択画面の中で例えばその他の調整項目（ＯＰＴＩＯＮ）を選択して第２の選択画面を呼び出すことは容易に行われるものではなく、キーロックの解除の操作が簡単に行われる恐れを少なくすることができる。
【００１４】
従ってこの装置において、キー操作によって呼び出される選択画面を用いてキー操作の一部をロックする機能を設定／解除することによって、使用者は容易に機能の設定／解除を行うことができると共に、第三者によって機能が解除される恐れを少なくすることができる。
【００１５】
なお上述の装置において、キーロックが設定された状態では、例えば第２の選択画面の呼び出しを行うためにその他の調整を選択する（ＯＰＴＩＯＮ）と、この選択画面からの脱出を選択する（ＥＸＩＴ）のみが選択され、選択できない機能の項目には例えばカーソルが移動できないようにすることができる。
【００１６】
また上述の装置において、キーロックが設定された状態で、選択できない機能が選択されると、例えば図１のＣに示すように画面の中に例えばキー（鍵）の図形１ｂを表示してキーロックが設定されていることを表示することができる。さらにキーロックが設定された状態では、例えば図１のＣに示すように選択できない機能をマスクして第三者にその状況が告知されるようにすることもできる。
【００１７】
こうして上述の画像表示装置によれば、表示画像に関する調整を行うための選択画面が表示される表示手段、及び選択画面として表示される複数の項目の一つを選択するとともに選択された項目において調整や設定を行うための操作手段を有し、選択画面として、操作手段の操作によって表示される第１の選択画面であって、複数の調整項目およびその他の調整項目を選択するための項目を有する第１の選択画面と、第１の選択画面の中のその他の調整項目を選択することにより呼び出される第２の選択画面であって、操作手段が操作されても複数の調整項目における調整を変更できなくするロック設定またはこのロック設定の解除を複数の調整項目において個別に設定するための第２の選択画面とを有することにより、使用者は容易に機能の設定／解除を行うことができると共に、第三者によって機能が解除される恐れを少なくすることができるものである。
【００１８】
なお上述の装置において、呼び出された第１及び第２の選択画面は、例えば時間の経過によって自動的に元の画像の表示画面に復帰するようにされる。そしてこの状態では、例えば第１の選択画面の呼び出しを行うＯＳＤの操作キー１のみが操作可能とされるものである。
【００１９】
【発明の効果】
従って請求項１の発明によれば、キー操作によって呼び出される選択画面を用いてキー操作の一部をロックする機能を設定／解除することによって、使用者は容易に機能の設定／解除を行うことができると共に、第三者によって機能が解除される恐れを少なくすることができるものである。
【図面の簡単な説明】
【図１】本発明の適用されるキー入力装置の一例の説明のための線図である。
【図２】そのキー操作部の説明のための構成図である。
【符号の説明】
１…ＯＳＤの操作キー、２〜５…「↑」「↓」「←」「→」の操作キー
【図１】
0004016460.tif 000002
【図２】
0004016460.tif 000003